(57)【特許請求の範囲】
【請求項１】
土構造物の変形を抑えるために縦方向に複数段で使用される、網目又は格子様構造を有する鋼製壁面材の前面に設置される、縦パイプを有する安全柵を前記鋼製壁面材に取り付ける取り付け治具であって、
金属線材を湾曲させて成り、
前記鋼製壁面材の前面側において縦方向に前記縦パイプを挿通可能な第１湾曲部と、
前記第１湾曲部の両端部において、前記鋼製壁面材の後面側に最初に突出する形で、前面側及び後面側にそれぞれ突出するように上下方向で互い違いに配され、横方向に閂棒を挿通可能な複数対の第２湾曲部と、を有し、
前記鋼製壁面材の前記網目又は格子様構造を縦方向及び横方向のそれぞれで跨ぐように、少なくとも１対の前記第２湾曲部を前記鋼製壁面材の後面側に突出させ、少なくとも１対の前記第２湾曲部を前記鋼製壁面材の前面側に突出させた状態で、前記鋼製壁面材の前面側及び後面側において、相対向する１対の前記第２湾曲部間に亘って、それぞれ横方向に前記閂棒を挿通することにより、前記鋼製壁面材に取り付けられること、を特徴とする取り付け治具。
【請求項２】
前記金属線材は鉄である、請求項１に記載の取り付け治具。
【請求項３】
３対以上の前記第２湾曲部を有する、請求項１又は２に記載の取り付け治具。
【請求項４】
相対向する前記第２湾曲部が略平行である、請求項１〜３のいずれか１項に記載の取り付け治具。
【請求項５】
前記縦パイプの外径が４０ｍｍ〜６０ｍｍであり、前記金属線材の線径が５ｍｍ〜７ｍｍであり、前記閂棒の外径が、２．６ｍｍ〜１０ｍｍであり、前記第１湾曲部の内径が４５ｍｍ〜１２０ｍｍであり、前記第２湾曲部の内径が４ｍｍ〜１２ｍｍである、請求項１〜４のいずれか１項に記載の取り付け治具。
【請求項６】
前記鋼製壁面材の網目又は格子様構造が、長方形を単位とする反復構造である、請求項１〜５のいずれか１項に記載の取り付け治具。
【請求項７】
前記長方形は、ヨコ３０ｍｍ〜７０ｍｍ×タテ８０ｍｍ〜４００ｍｍである、請求項６に記載の取り付け治具。
【請求項８】
前記鋼製壁面材の網目又は格子様構造が、菱形を単位とする反復構造である、請求項１〜５のいずれか１項に記載の取り付け治具。
【請求項９】
前記菱形の短目方向中心間距離が３０ｍｍ〜７０ｍｍであり、かつ、長短目方向中心間距離が１００ｍｍ〜２００ｍｍである、請求項８に記載の取り付け治具。
【発明の詳細な説明】
【技術分野】
【０００１】
本発明は、鋼製壁面材の前面に設置する安全柵の縦パイプを取り付けるための取り付け治具に関する。より詳細には、本発明は、土構造物の変形を抑えるために縦方向に使用される、網目又は格子様構造を有する鋼製の壁面材の前面に設置される安全柵の縦パイプを取り付けるための取り付け治具に関する。
【背景技術】
【０００２】
従来、急勾配の盛土をした造成地等において、盛土面の崩壊を防止するために各種の盛土補強材と鋼製壁面材が用いられている。そのような鋼製壁面材として、縦の金属線と横の金属線を格子状に溶接した溶接金網をその中間で鋭角に曲げ加工して、盛土の法面の傾斜角に略等しい角度で傾斜する傾斜金網部と水平金属網部を一体に形成したものが知られている（以下、特許文献１参照）。
また、このような鋼製壁面材として、建設資材として一般に使用されるエキスパンドメタルをその中間で単に曲げ加工したものも使用されている。
【０００３】
これらの鋼製壁面材はいずれも、傾斜金網部（立上がり部分）の背後に盛土補強材を敷設し、盛土をして法面を形成し、この盛土の端部に上段の鋼製壁面材を設置して下段の鋼製壁面材と連結すると共に、この上段の鋼製壁面材の傾斜金網部（立上がり部分）の背後に盛土補強材を敷設し、盛土をして法面を形成するという作業を繰り返すことによって、多段に盛土をした法面を崩落しないように補強するものである。
しかしながら、多段に盛土をする場合、作業者が法面の上端から滑り落ちると生死に関わる重大な事故となるため、従来、盛土を一段ずつ行うたびにその法面に安全柵用の杭（縦パイプ）を打ち込み、ロープやパイプなどの横架材で安全柵を構築しては、盛土後に安全柵を除去する作業を繰り返して多段に盛土を行い、事故の発生を未然に防止しているのが実情である。そのため、段ごとの安全柵の構築及び除去作業に手間取り、盛土工事の進捗に支障をきたすという問題があった。
【０００４】
かかる状況の下、以下の特許文献２には、盛土を一段ずつ行うたびに安全柵を容易に構築し且つ容易に除去できることを目的として、縦の金属線と横の金属線を格子状に溶接した溶接金網をその中間部で鋭角に曲げ加工して、水平金網部と、この水平金網部の前端から法面の傾斜角に略等しい角度で傾斜して立ち上がる傾斜金網部とを一体に形成し、この傾斜金網部の前面側に、安全柵用の縦パイプを上方に抜き取り可能に保持するための上下一組の縦パイプ保持具を取り付けた鋼製壁面材が開示されている。
特許文献２の鋼製壁面材においては、図９に示すように、鋼製壁面材の傾斜金網部（立上がり部分）に、安全柵用の縦パイプを抱持するＵ形抱持部の端部に、傾斜金網部の横の金属線に上下回動自在に掛止させる掛止部を一体に形成した縦パイプ保持具が、設けられている。
しかしながら、該縦パイプ保持具は、自重で下方に回動するため、縦パイプを入れる作業が容易ではなく、また、安全柵用縦パイプは、盛土を一段ずつ積み重ねる都度、一旦全て引き上げなければならないという問題がある。
【０００５】
以下の特許文献３には、壁面材に金網を用いる土壁工法において、作業者の転落防止の為、容易に着脱可能なロープ安全柵とそのロープ支柱が開示されている。かかるロープ支柱の構造は図１０に示すようなものであり、壁面材金網に、ロープ支柱下部に設けた引っ掛け爪２が金網下部を挟持しロープ支柱下端が固定され、引掛け挟持固定とすることで作業進捗での着脱が容易となる一方、金網上部はクランプで緊結固定され、ロープ支柱上端の掛着部は、支柱両側部にロープ係止のＵ型フック３ａ、３ｂが設けられ、支柱両側部中央にロープ水平線より下方にロープたるみ調整金具４が設けられている。
しかしながら、かかるロープ支柱の設置においては、法面から身体を突出させて金網固定用クランプ固着ネジの着脱を行わなければならず、また、安全柵の手すり部分は、金属パイプではなく、ロープであるため、安全柵としては、強度的に優れたものとはいえない。
【０００６】
以下の特許文献４には、あらかじめ壁面材に安全柵を建て込むことができる安全柵支柱支持管を取り付けておき、各段の盛土構造体の施工段階で安全柵を簡単に取り付け及び撤去可能とする補強土擁壁が開示されている。特許文献４に記載された補強土擁壁においては、図１１に示すように、盛土構造体３は、底面地盤４又は下位の段の盛土構造体３上に、底面部、折り曲げ部及び前面起立部とから成るＬ型の壁面材５を、その前面起立部を補強土擁壁の壁面側に向けて設置されており、該壁面材５に連結して敷網材９が敷設され、壁面材５の前面起立部の内面に、安全柵支柱支持管１３を上下方向に向けて取り付けられ、壁面材５と敷網材９上に盛土を埋め込んで安全柵支柱支持管１３を盛土で固定してから、安全柵支柱支持管１３に、下位の段の盛土構造体３の安全柵支柱支持管１３から抜き取った転落防止用の安全柵１４の安全柵支柱１５が取り付け可能である。
しかしながら、特許文献４に記載された補強土擁壁は、垂直面である壁面にのみ適用可能であり、また、支柱支持管は、埋め殺しとなるため、資材コストが高くなるという問題がある。
【先行技術文献】
【特許文献】
【０００７】
【特許文献１】特開２０００−２８２４７１号公報
【特許文献２】特開２００８−５７２２３号公報
【特許文献３】特開２００８−１４４５６３号公報
【特許文献４】実用新案登録第３１４７９７１号公報
【発明の概要】
【発明が解決しようとする課題】
【０００８】
かかる状況下、本発明が解決しようとする課題は、土構造物の変形を抑えるために縦方向に複数段で使用される、網目又は格子様構造を有する鋼製壁面材の傾斜金網部（立上がり部分）に設置する安全柵の縦パイプを取り付けるための取り付け治具であって、事前の仕込みを必要とせず、現場で、鋼製壁面材の前面に任意の箇所に任意の数量を設置することができて、安全柵を所望の位置に固定し、さらに、縦方向への盛土補強材の段数増加に伴って、該安全柵を、鋼製壁面材から完全に分離させることなく、所望の位置に再固定することができる、取り付け作業における安全性が高く、低コストである安全柵取り付け治具を提供することである。
【課題を解決するための手段】
【０００９】
［１］
土構造物の変形を抑えるために縦方向に複数段で使用される、網目又は格子様構造を有する鋼製壁面材の前面に設置される、縦パイプを有する安全柵を前記鋼製壁面材に取り付ける取り付け治具であって、
金属線材を湾曲させて成り、
前記鋼製壁面材の前面側において縦方向に前記縦パイプを挿通可能な第１湾曲部と、
前記第１湾曲部の両端部において、前記鋼製壁面材の後面側に最初に突出する形で、前面側及び後面側にそれぞれ突出するように上下方向で互い違いに配され、横方向に閂棒を挿通可能な複数対の第２湾曲部と、を備え、
前記鋼製壁面材の前記網目又は格子様構造を縦方向及び横方向のそれぞれで跨ぐように、少なくとも１対の前記第２湾曲部を前記鋼製壁面材の後面側に突出させ、少なくとも１対の前記第２湾曲部を前記鋼製壁面材の前面側に突出させた状態で、前記鋼製壁面材の前面側及び後面側において、相対向する１対の前記第２湾曲部間に亘って、それぞれ横方向に前記閂棒を挿通することにより、前記鋼製壁面材に取り付けられること、を特徴とする取り付け治具。
［２］
前記金属線材は鉄である、［１］に記載の取り付け治具。
［３］
３対以上の前記第２湾曲部を有する、［１］又は［２］に記載の取り付け治具。
［４］
相対向する前記第２湾曲部が略平行である、［１］〜［３］のいずれか１項に記載の取り付け治具。
［５］
前記縦パイプの外径が４０ｍｍ〜６０ｍｍであり、前記金属線材の線径が５ｍｍ〜７ｍｍであり、前記閂棒の外径が、２．６ｍｍ〜１０ｍｍであり、前記第１湾曲部の内径が４５ｍｍ〜１２０ｍｍであり、前記第２湾曲部の内径が４ｍｍ〜１２ｍｍである、［１］〜［４］のいずれか１項に記載の取り付け治具。
［６］
前記鋼製壁面材の網目又は格子様構造が、長方形を単位とする反復構造である、［１］〜［５］のいずれか１項に記載の取り付け治具。
［７］
前記長方形は、ヨコ３０ｍｍ〜７０ｍｍ×タテ８０ｍｍ〜４００ｍｍである、［６］に記載の取り付け治具。
［８］
前記鋼製壁面材の網目又は格子様構造が、菱形を単位とする反復構造である、［１］〜［５］のいずれか１項に記載の取り付け治具。
［９］
前記菱形の短目方向中心間距離が３０ｍｍ〜７０ｍｍであり、かつ、長短目方向中心間距離が１００ｍｍ〜２００ｍｍである、［８］に記載の取り付け治具。
【発明の効果】
【００１０】
本発明に係る取り付け治具は、事前の仕込みを必要とせず、現場で、鋼製壁面材の前面に任意の箇所に任意の数量を設置することができて、安全柵を所望の位置に固定することができる。そして、このような取り付け治具によって取り付けられた安全柵は、縦方向への鋼製壁面材の段数増加に伴って、鋼製壁面材から完全に分離させることなく、所望の位置に再固定することができるため、取り付け作業における安全性が高く、低コストである。したがって、本発明に係る取り付け治具を用いることにより、安全柵を、急勾配盛土工法における安全柵として好適に使用することができる。
【図面の簡単な説明】
【００１１】
【図１】本発明に係る取り付け治具の一例を示す斜視図である。
【図２】本発明に係る取り付け治具と鋼製壁面材の前面との関係を示す図面に代わる写真である。
【図３】本発明に係る取り付け治具と、縦パイプ及び鋼製壁面材の前面との関係を示す図面に代わる写真である（壁面の外側から撮った写真）。
【図４】本発明に係る取り付け治具の第１及び第２湾曲部の寸法の一例を示す図である。
【図５】本発明に係る取り付け治具に、縦パイプのフックを固定する方法の概要説明図である。
【図６】盛土工法の各工程の説明図である。
【図７】盛土工法の各工程（続き）の説明図である。
【図８】縦パイプのフックの１例の図面に代わる写真である。
【図９】特許文献２に記載された鋼製壁面材の概略図である。
【図１０】特許文献３に記載されたロープ安全柵支柱の概略図である。
【図１１】特許文献４に記載された安全柵支柱支持管と補強土擁壁の概略図である。
【発明を実施するための形態】
【００１２】
以下、本発明の実施の形態について、図面を参照しながら説明する。
図１に示すように、本発明に係る取り付け治具２０は、
土構造物の変形を抑えるために縦方向に複数段で使用される、網目又は格子様構造を有する鋼製壁面材の前面に設置される、縦パイプを有する安全柵を鋼製壁面材に取り付ける取り付け治具であって、
金属線材を湾曲させて成り、
鋼製壁面材の前面側において縦方向に縦パイプを挿通可能な第１湾曲部２１と、
第１湾曲部２１の両端部において、鋼製壁面材の前面側及び後面側にそれぞれ突出するように上下方向で互い違いに配され、横方向に閂棒を挿通可能な複数対の第２湾曲部２２（２２ａ，２２ｂ，２２ｃ）と、を備え、
鋼製壁面材の網目又は格子様構造を縦方向及び横方向のそれぞれで跨ぐように、少なくとも１対の第２湾曲部２２（２２ａ，２２ｃ）を鋼製壁面材の後面側に突出させ、少なくとも１対の第２湾曲部２２（２２ｂ）を鋼製壁面材の前面側に突出させた状態で、鋼製壁面材の前面側及び後面側において、相対向する１対の第２湾曲部２２間に亘って、それぞれ横方向に閂棒を挿通することにより、鋼製壁面材に取り付けられること、を特徴とする。
【００１３】
本発明に係る取り付け治具２０を取り付けることができる鋼製壁面材は、土構造物の変形を抑えるために縦方向に複数段で使用される、編目又は格子様構造を有するシート状の鋼製壁面材である。
鋼製壁面材の形状は、以下に説明する取り付け治具２０を盛土側から任意の位置に係止することができる限り特に限定されない。鋼製壁面材は、例えば、特許文献１に記載されたものや、エキスパンドメタル等の公知のものであることができる（図２〜図７参照）。例えば、鋼製壁面材の網目又は格子様構造は、長方形を単位とする反復構造であることができ、該長方形は、ヨコ３０ｍｍ〜７０ｍｍ×タテ８０ｍｍ〜４００ｍｍであることができる。また、鋼製壁面材の網目又は格子様構造は、菱形を単位とする反復構造であることもでき、該菱形の短目方向中心間距離は３０ｍｍ〜７０ｍｍであり、かつ、長目方向中心間距離が１００ｍｍ〜２００ｍｍであることができる。
当然であるが、鋼製壁面材は、盛土工法に耐えうる十分な強度を持つものでなければならない。
【００１４】
鋼製壁面材は、平面状のものを、盛土する壁面の勾配に合わせて曲げたエキスパンドメタルであることができる。該勾配は、０〜８分勾配であることができる。すなわち、該勾配は、垂直であってもよい。
図３に、取り付け治具と、安全柵の壁面と、縦パイプとの関係を示す。
【００１５】
安全柵を構成する縦パイプは、建設資材として一般に使用される、単管鋼材を加工したものである。縦パイプの外径は、好ましくは約４０ｍｍ〜約６０ｍｍであることができる（図７参照）。該加工としては、図５に示すように、例えば、縦パイプの１段目に相当する位置にフックを取り付け、さらに、２段目の盛土の上部で安全柵として垂直になるような曲げ加工が挙げられる。但し、フックの取り付け位置は、２段目に相当する位置であってもよく、また、３段目の盛土の上部で安全柵として垂直になるような曲げ加工であってもよい。フックの曲げ角度は、盛土の壁面の勾配に従う。
【００１６】
図３及び図５の拡大図に示すように、例えば、フックは、単管鋼材に貫通孔を開け、これに、くの字型の部材をナットで固定したものであることができる。ここで、図５に示すように、フックと縦パイプ側面との間隙を取り付け治具２０（金属線材）の線径よりも大きくすることにより、縦パイプを下げることによりフックを取り付け治具２０に確実に引っ掛けることができる構造でなければならない。同時に、フックが取り付けられた状態での縦パイプの外径（フックの幅）を、鋼製壁面材の前面に係止された状態での取り付け治具２０の第１湾曲部２１の内径よりも十分に小さくすることにより、縦パイプを引き上げることにより該取り付け治具２０の内部（第１湾曲部２１の内部）を容易に通過させることができなければならない。
【００１７】
また、縦パイプに取り付けるフックは、図８に示すように、弾性を有する線材をコイル状に巻いて形成したリングバネ部と、該線材の両端に設けたフック部とを有する部材とすることができる。該フック部は、該リングバネ部を構成する線材の両端を、各々該リングバネ部の外側へ延長し、該リングバネ部の圧延方向の同じ向きに３ｃｍ〜１５ｃｍの間隔で平行に折り曲げることで形成される。該線材の材質は金属が好ましい。リングバネ部の巻き数は１〜４とするのが好ましい。フック部の曲げ角度は、盛土の壁面の勾配に従う。リングバネ部の内径は前記縦パイプの外径よりも小さいが、該両フック部を把握しその間隔を狭めることで、縦パイプの外径より広げることができる。広がった状態のリングバネ部に縦パイプを通した後、把握したフック部を緩めることで、復元力が働きリングバネ部の内径が再び狭まるため、フックが縦パイプに固定される。
【００１８】
また、図６に示すように、好ましくは、２本の縦パイプに２本の横パイプを固定し、これを１ユニットとして構成して、安全柵の手すりとして機能させることができる。
【００１９】
取り付け治具２０は、図１〜図４に示すように、金属線材を略Ｕ字形状に湾曲させて成る。取り付け治具２０は、例えば鉄製である。メッキなどの表面処理が施されていてもよい。
取り付け治具２０は、鋼製壁面材の前面側において縦方向に縦パイプを挿通可能な第１湾曲部２１と、第１湾曲部２１の両端部において、鋼製壁面材の前面側及び後面側にそれぞれ突出するように上下方向で互い違いに配され、横方向に閂棒を挿通可能な複数対の第２湾曲部２２と、を有する。
【００２０】
取り付け治具２０を鋼製壁面材に取り付ける際には、図２及び図７の工程４に示すように、鋼製壁面材の傾斜金網部（立上がり部分）に、鋼製壁面材の網目又は格子様構造を縦方向及び横方向のそれぞれで跨ぐように、第２湾曲部２２を網目又は格子様構造の目（隙間）に差し込む。これにより、少なくとも１対の第２湾曲部２２（２２ａ，２２ｃ）が鋼製壁面材の後面側に突出し、少なくとも１対の第２湾曲部２２（２２ｂ）が鋼製壁面材の前面側に突出した状態となる。鋼製壁面材の前面側及び後面側において、相対向する１対の第２湾曲部２２間に亘って、それぞれ横方向に閂棒を挿通することにより、鋼製壁面材の網目に係止することができる。
この取り付け治具２０によれば、事前の仕込みを必要とせず、現場で、鋼製壁面材の前面に任意の箇所に任意の数量を設置することができる。
【００２１】
例えば図４に示すように、取り付け治具２０において、第１湾曲部２１は、その内部に縦パイプを容易に通すことができる程の内径を有する必要がある。例えば、第１湾曲部２１の内径は約４５ｍｍ〜約１２０ｍｍである。取り付け治具２０の線径は、安全柵に要求される強度や荷重に依存するが、好ましくは約５ｍｍ〜約７ｍｍであることができる。
【００２２】
第２湾曲部２２（２２ａ，２２ｂ，２２ｃ）は、その内部に閂棒を通すことができる程の内径を有する必要がある。例えば、閂棒の外径（直径）は約２．６ｍｍ〜１０ｍｍであり、第２湾曲部２２の内径は約４ｍｍ〜約１２ｍｍである。また、第２湾曲部２２は、鋼製壁面材の網目又は格子様構造の目を通ることができる程の外径を有する必要がある。例えば、第２湾曲部２２の外径は約６．６ｍｍ〜約２２ｍｍ（第２湾曲部２２の内径＋線径）である。
【００２３】
対を成す、相対向する第２湾曲部２２は、略平行であることが好ましい。これにより、取り付け治具２０を鋼製壁面材に取り付ける際に、鋼製壁面材の網目又は格子様構造に第２湾曲部２２を容易に差し込むことができる。
【００２４】
相対向する第２湾曲部２２（２２ａ，２２ｂ，２２ｃ）は、鋼製壁面材の網目又は格子様構造を横方向で跨ぐことができる間隔を有する必要がある。例えば、第２湾曲部２２の横方向の間隔は約４５ｍｍ〜約１２０ｍｍである。
また、鋼製壁面材の同一面側に突出するように上下方向に配された第２湾曲部２２（２２ａ，２２ｃ）は、鋼製壁面材の網目又は格子様構造を縦方向で跨ぐことができる間隔を有する必要がある。例えば、第２湾曲部２２ａと第２湾曲部２２ｃの縦方向の間隔は約８ｍｍ〜約１７ｍｍである。
また、第２第２湾曲部２２（２２ａ，２２ｂ，２２ｃ）は、鋼製壁面材の両面に突出するとともに、その内部に閂棒を挿通できる十分な長さを有する必要がある。例えば、第２湾曲部２２の長さは約２０ｍｍ〜約４０ｍｍである。
【００２５】
第２湾曲部２２の数は特に限定されるものではないが、湾曲部の数を３つ（３対）にすることで、取り付け治具２０が鋼製壁面材に安定して固定され、安全性を高めることができる。例えば湾曲部の数を３つ（３対）以上にすることで、取り付け治具２０に対して上下方向から力が加わった場合に、閂棒が外れて落下するようなことがなく、安全性をより高めることができる。
【００２６】
なお、上述した説明及び図面では、第１湾曲部２１に対して第２湾曲部２２が下側になるように、鋼製壁面材に取り付けた場合を例に挙げて説明したが、第１湾曲部２１に対して第２湾曲部２２が上側になるように、鋼製壁面材に取り付けてもよい。
【００２７】
以下、本発明に係る取り付け治具２０により取り付けられた安全柵を使用した盛土工法の一例を、具体的に説明する。
この盛土工法は、地面上に鋼製壁面材と盛土補強材を敷設し、盛土、転圧を行い、これを複数段繰り返して急勾配盛土を構築する盛土工法であって、以下のステップ：
（１）フックが取り付けられた複数の縦パイプを有する安全柵と、任意の位置に係止することができる複数の取り付け治具２０と、を有する安全柵ユニットを用意する。ここで、該フックが取り付けられた状態での縦パイプの外径が、該鋼製壁面材の前面に係止された状態での該取り付け治具２０の内径よりも小さい、
（２）１段目の盛土が終了する前に、該１段目の鋼製壁面材の前面の所定の位置に、該複数の取り付け治具２０を、略水平に整列させて係止し、次いで、盛土、転圧を行って、１段目を完成させる、
（３）２段目と３段目において、前記ステップ（２）を同様に繰り返し、ここで、１段目〜３段目において係止する各取り付け治具２０を、縦方向に整列させる、
（４）前記安全柵の、フックが取り付けられた各縦パイプを、該略水平に整列した各取り付け治具２０に挿入し、かつ、該フックを、縦方向に整列した１段目〜３段目のいずれか１つの取り付け治具２０に引っ掛けることにより、該安全柵を３段目に適した位置に固定する、
（５）４段目の盛土が終了する前に、該取り付け治具２０を、４段目の鋼製壁面材の前面の所定の位置に、略水平に整列させて係止し、次いで、盛土、転圧を行って、４段目を完成させる、
（６）該安全柵を、該鋼製壁面材から完全に分離させることなく、略水平にしたまま、引き上げて、該フックを、２段目〜４段目のいずれか１つの取り付け治具２０に引っ掛けることにより、４段目に適した位置に再固定する、
（７）前記ステップ（５）とステップ（６）を、所望の段数まで繰り返し、０〜８分勾配の盛土壁面を構築する、
を含む。
【００２８】
前記ステップ（２）及びステップ（３）には、予め所定の位置に前記取り付け治具２０を係止してある鋼製壁面材を用いて各段を構築することも含まれる。また、前記ステップ（２）及びステップ（３）において該取り付け治具２０を係止する作業は、前記盛土壁面の前面側及び盛土側のいずれから行ってもよい。
前記ステップ（５）において該取り付け治具２０を該鋼製壁面材に係止する際は、該取り付け治具２０に縦パイプを通し、続けて該鋼製壁面材に係止する、等の方法をとり得る。該取り付け治具２０の係止は、鋼製壁面材の傾斜金網部（立上がり部分）に、鋼製壁面材の網目又は格子様構造を縦方向及び横方向のそれぞれで跨ぐように、少なくとも１対の第２湾曲部２２を鋼製壁面材の後面側に突出させ、少なくとも１対の第２湾曲部２２を鋼製壁面材の前面側に突出させた状態で、鋼製壁面材の前面側及び後面側において、相対向する１対の第２湾曲部２２間に亘って、それぞれ横方向に閂棒を挿通することで行う。
【００２９】
前記した盛土工法において、３段目の完成時に前記安全柵を固定することに代えて、２段目又は４段目の完成時に、前記安全柵を固定することもできる。
２段目の完成時に前記安全柵を固定する場合は、前記ステップ（３）において２段目を構築した後、前記ステップ（４）に進み、前記ステップ（４）において該フックを、１段目又は２段目のいずれか１つの取り付け治具２０に引っ掛けることにより、該安全柵を２段目に適した位置に固定した後、前記ステップ（５）とステップ（６）を繰り返して３段目以降を構築する。
４段目の完成時に前記安全柵を固定する場合は、前記ステップ（３）において４段目も同様の工法で構築した後、前記ステップ（４）において該フックを、１段目〜４段目のいずれか１つの取り付け治具２０に引っ掛けることにより、該安全柵を４段目に適した位置に固定した後、前記ステップ（５）とステップ（６）を繰り返して５段目以降を構築する。
前記安全柵は、一例として幅４ｍ、縦パイプの長さ２ｍのものを用いることが出来るが、これに限られることなく、前記鋼製壁面材の幅及び各段の高さに応じた適切な大きさのものとすることができる。一般には、前記各段の高さは、約５００ｍｍ〜約７００ｍｍであることができる。
【００３０】
以下、本発明に係る取り付け治具２０により取り付けられた安全柵を使用した盛土工法の一例を、図６〜図７を参照しながら、説明する。図６〜図７においては、フックは、縦パイプの下端から３段目に相当する箇所に設けられているが、これは、１段目又は２段目に相当する箇所に設けられてもよい。また、図６〜図７の説明においては、前記したステップ（１）を省略してあるため、前記したステップ（２）〜（７）は、図６〜図７中、それぞれ、工程１〜工程６に、概ね相当する。
【００３１】
まず、工程１において、１段目の鋼製壁面材を設置し、盛土補強材を敷設し、１層目の土砂を投入・転圧完了後、鋼製壁面材の上辺から１５ｃｍ程度下がったところの中央部付近に、取り付け治具２０を取り付ける。取り付け治具２０を取り付けた後、２層目の土砂を投入・転圧を行う。
工程２において、２段目３段目も１段目と同様に鋼製壁面材設置、盛土補強材敷設、１層目土砂投入・転圧、取り付け治具２０の取り付け及び２層目の土砂の投入・転圧を行う。この時、各段の取り付け治具２０がほぼ垂直になるように取り付ける。
工程３において、柵状に組み立てた縦パイプのセットの脚部を、取り付け治具２０の内側に差し込み、フックを取り付け治具２０に確実に引っ掛ける。続いて、隣接する箇所に同様の柵状に組み上がっている縦パイプのセットを差し込む。重なり合っている水平部分の横パイプをユニバーサルジョイントで連結する。
工程４において、４段目の鋼製壁面材を所定の位置に設置した後、１層目の土砂を投入・転圧する。土砂の転圧後に、取り付け治具２０を縦にして、縦パイプに差し込んだ後、盛土補強材の所定の位置まで下げる。
工程５において、取り付け治具２０を所定の位置に取り付けた後、４段目の２層目の土砂を投入・転圧する。土砂の転圧終了後に、隣り合ったユニットを連結しているジョイントを外し、ユニットごとに１段引き上げ、今まで掛かっていた取り付け治具２０の１段上の取り付け治具２０にフックを掛ける。このとき、「フックの幅＜取り付け治具２０の第１湾曲部２１の内径」であるので、ユニットを完全に引き抜くことなく作業ができる。
工程６において、各ユニットのフックが取り付け治具２０に確実に掛かっていることを確認した後、ユニバーサルジョイントで左右のユニットを連結する。以下、同様に、「鋼製壁面材１段分を１サイクルとして、鋼製壁面材設置、盛土補強材敷設・土砂投入・転圧とユニットの略０．６ｍの引き上げ」作業を繰り返す。
【００３２】
以上の説明から、この急勾配盛土工法を実施することにより、所望の作用効果が奏されることは明らかであろう。
【００３３】
以上、本発明の実施の形態について説明してきたが、本発明はこれに限定されるものではなく、発明の趣旨を逸脱しない範囲で適宜変更可能である。
【産業上の利用可能性】
【００３４】
本発明に係る取り付け治具は、鋼製壁面材の前面に、事前の仕込みを必要とせず、現場で任意の箇所に任意の数量を設置することができる。そして、このような取り付け治具によって取り付けられた安全柵は、縦方向への鋼製壁面材の段数増加に伴って、鋼製壁面材から完全に分離させることなく、所望の位置に再固定することができるため、取り付け作業における安全性が高く、低コストである。したがって、本発明に係る取り付け治具を用いることにより、安全柵ユニットを、急勾配盛土工法における安全柵として好適に使用することができる。
【符号の説明】
【００３５】
２    引っ掛け爪
３    盛土構造体
３ａ    型フック
３ｂ    型フック
４    底面地盤
４    調整金具
５    壁面材
９    敷網材
１３    安全柵支柱支持管
１４    安全柵
１５    安全柵支柱
２０    取り付け治具
２１    第１湾曲部
２２（２２ａ，２２ｂ，２２ｃ）    第２湾曲部
【図１】
0006373129.tif 000002
【図２】
0006373129.tif 000003
【図３】
0006373129.tif 000004
【図４】
0006373129.tif 000005
【図５】
0006373129.tif 000006
【図６】
0006373129.tif 000007
【図７】
0006373129.tif 000008
【図８】
0006373129.tif 000009
【図９】
0006373129.tif 000010
【図１０】
0006373129.tif 000011
【図１１】
0006373129.tif 000012